(57)【要約】【課題】  住宅の軒先の改修時に既設の軒樋と簡単に接続することができる軒樋継手を提供することを目的とする。【解決手段】軒樋１Ｃ、２Ｃの端部を相互に接続する軒樋継手Ａであって、継手本体１０Ａの上端部に耳把持部３が設けられ，該耳把持部３の上係止片３３の内面に少なくとも一方の端側から長手方向中央部に向けて幅狭となるように階段状の係合段差部４が設けられている。また、軒樋１Ｃ、２Ｃの端部を相互に接続する軒樋継手Ｂであって、継手本体１０Ｂの内周面に少なくとも一方の端側から長手方向中央部に向けて山高となるように階段状の係合段差部５が設けられている。【選択図】      図１  
2005105518.tif 000002
【特許請求の範囲】
【請求項１】
軒樋の端部を相互に接続する軒樋継手であって、継手本体の上端部に耳把持部が設けられ，該耳把持部の上係止片部の内面に少なくとも一方の端側から長手方向中央部に向けて幅狭となるように階段状の係合段差部が設けられていることを特徴とする軒樋継手。
【請求項２】
軒樋の端部を相互に接続する軒樋継手であって、継手本体の内周面に少なくとも一方の端側から長手方向中央部に向けて山高となるように階段状の係合段差部が設けられていることを特徴とする軒樋継手。
【発明の詳細な説明】
【技術分野】
【０００１】
本発明は、軒樋の端部を相互に接続する軒樋継手に関する。
【背景技術】
【０００２】
従来から、耳把持部を有する外継手と耳把持部を有さない内継手とを相互に間隔を開けて結合してその両端部に側方に開口した軒樋端部挿入溝を形成してなる軒樋継手は知られている。
【０００３】
このような従来の軒樋継手は、屋根の軒先において、両側の軒樋端部挿入溝に各々側方から同一メーカーの同一規格の軒樋の端部が挿入嵌合され、両軒樋の端部が相互に接続されるものである。（例えば、特許文献１参照。）。
【０００４】
ところで、住宅の軒先の改修時に既設の軒樋の一部を取り外して新品の軒樋と交換する等の補修を行うことがことがある。この場合、既設軒樋と同一規格のものを新品の軒樋として用意する必要があるが、既設軒樋と同一規格の軒樋や軒樋継手等の部材に在庫が無いことがある。そのため、既設軒樋と略同じ寸法、形状かまたは異なる断面形状を有する新規の軒樋を用いて既設軒樋と接続することがある。
【特許文献１】実開平４−４７０２０号公報（第１２図）
【発明の開示】
【発明が解決しようとする課題】
【０００５】
しかしながら、新規の軒樋や軒樋継手において、その本体部が既設軒樋と寸法、形状の規格が類似したものであっても、耳部の形状、寸法が異なったりすると、既設の軒樋は新規の軒樋継手を介して接続することができなかった。
【０００６】
例えば、図１７に示すように半丸形状の軒樋（通称：半丸軒１０５）の場合、どのメーカー（Ａ社、Ｂ社  ・・・  ）の軒樋も、耳部以外は形状・寸法に殆ど差異がなく、軒樋本体部の円弧部分が接続可能であっても、軒樋継手の耳把持部の嵌合寸法に余裕を持たせると、軒樋の耳部の寸法が小さい場合は、軒樋継手の耳把持部に軒樋の耳部を嵌合させてもがたついて外れ易く接続することができなかった。
【０００７】
本発明は、このような事情に鑑みて、住宅の軒先の改修時に既設の軒樋と簡単に接続することができる軒樋継手を提供することを目的としている。
【課題を解決するための手段】
【０００８】
このような目的を達成するために、請求項１に記載の発明に係わる軒樋継手（以下、「請求項１の軒樋継手」と記す）は、軒樋の端部を相互に接続する軒樋継手であって、継手本体の上端部に耳把持部が設けられ，該耳把持部の上係止片部の内面に少なくとも一方の端側から長手方向中央部に向けて幅狭となるように階段状の係合段差部が設けられていることを特徴とした。
【０００９】
また、請求項２に記載の発明に係わる軒樋継手（以下、「請求項２の軒樋継手」と記す）は、軒樋の端部を相互に接続する軒樋継手であって、継手本体の内周面に少なくとも一方の端側から長手方向中央部に向けて山高となるように階段状の係合段差部が設けられていることを特徴とした。
【発明の効果】
【００１０】
請求項１の軒樋継手によれば、軒樋継手の継手本体の上端部に耳把持部が設けられ，該耳把持部の上係止片部の内面に少なくとも一方の端側から長手方向中央部に向けて幅狭となるように階段状の係合段差部が設けられているので、住宅の軒先の改修時に既設の軒樋と耳部に形状や寸法に差異があっても、軒樋継手の耳把持部にがたつくことがなく確実に接続することができる。
【００１１】
請求項２の軒樋継手によれば、継手本体の内周面に少なくとも一方の端側から長手方向中央部に向けて山高となるように階段状の係合段差部が設けられているので、住宅の軒先の改修時に既設の軒樋と軒樋の高さに寸法差があっても、軒樋継手の耳把持部にがたつくことがなく確実に接続することができる。
【発明を実施するための最良の形態】
【００１２】
次に、本発明の実施の形態の一例を、図１〜図１６に基づいて説明する。  
【実施例１】
【００１３】
図１〜図９は、本発明軒樋継手の実施の形態における実施例１（請求項１の軒樋継手に対応する実施例）を説明する図である。
図において、図１は本発明の実施例１における軒樋継手を示す斜視図、図２は同じく軒樋継手の側面図、図３は図２におけるＡ−Ａ線断面図、図４は本発明の実施例において使用される一方の軒樋を示す側面図、図５は本発明の実施例において使用される他方の軒樋を示す側面図、図６は実施例１における軒樋継手の使用状態を説明する分解斜視図、図７は同じく軒樋を軒樋継手に接続した状態を示す一部破断正面図、図８は図７におけるＢ−Ｂ線断面図、図９は図７におけるＣ−Ｃ線断面図である。
【００１４】
実施例１における軒樋継手Ａは、図１〜図３に示すように、双方の軒樋の耳部の形状、寸法が異なっていても同一規格の半円形状の軒樋（通称；半丸軒１０５）であれば両側方から接続可能となっており、軒樋の外周面に沿うように半円形の樋状に屈曲して形成された外継手方式の継手本体１０Ａと、この継手本体１０Ａの両側壁部２の上端部に断面Ｃ字状の耳把持部３が開口部を内方に向けて一体に形成されている。
【００１５】
この耳把持部３は，側壁部２から外側に突設した下係止片部３１と、下係止片部３１の途中から湾曲して立ち上げた側係止片部３２と、この側係止片部３２の上部から湾曲して内方に延設した上係止片部３３とから断面Ｃ字状の形状に構成されており、接続しようとする軒樋の規格に近似した形状寸法とされているが、余裕をもって大きめの形状寸法とされている。そして、耳把持部３の上係止片部３３の内面には、両端側から長手方向中央部に向けて幅狭となるように階段状の係合段差部４が設けられている。
【００１６】
本実施例において、両側方から接続される一方の軒樋（既設の軒樋）としては、図４に示すような半円形状の軒樋本体１１ｃの両側上縁端部に半円形の耳部１２ｃが外向きに突出して形成された半丸型の軒樋１Ｃを用いており、また、他方の軒樋（新規の軒樋）としては、図５に示すような半円形状の軒樋本体２１ｃの両側上縁端部に円形の耳部２２ｃが外向きに突出して形成された半丸型の軒樋２Ｃを用いた。
【００１７】
このような軒樋継手Ａを用いて軒樋１Ｃ、２Ｃを接続する手順について、図６〜図９に基づいて説明する。
先ず、改修時に取り替えようとする既設の軒樋や軒樋継手を軒先から取り外して、残された既設の一方の半丸型の軒樋１Ｃの端部に、新規の軒樋継手Ａを配設して軒樋継手Ａの内側に軒樋１Ｃの端部を挿入し嵌合する。
【００１８】
このとき、軒樋１Ｃの端部の外周面に沿って軒樋継手Ａの継手本体１０Ａが外側から密着すると共に、軒樋１Ｃの両耳部１２ｃが軒樋継手Ａの耳把持部３に挿入し、両耳部１２ｃの上端縁が階段状の係合段差部４に当接して嵌合することになる。
【００１９】
続いて、既設の軒樋１Ｃに取り付けられた軒樋継手Ａの他方側に新規の半丸型の軒樋２Ｃを配設して、軒樋２Ｃの耳部２２ｃを耳把持部３に挿入し、上記軒樋１Ｃを軒樋継手Ａに接続したときと同じようにして、軒樋２Ｃの端部の外周面に沿って継手本体１０Ａを外側から密着させながら押し込むと、耳部２２ｃの上側面が係合段差部４により押圧された状態で係合段差部４で形成された幅狭部に嵌まり込む。
【００２０】
このように、既設軒樋１Ｃの耳部２１ｃと比べて新規軒樋２Ｃの耳部２２ｃが小さめであっても、図７〜図９に示すように、既設の軒樋１Ｃの耳部１２ｃが階段状の係合段差部４に当接して入り口側で嵌合され、新規軒樋２Ｃの耳部２２ｃが係合段差部４により押圧されることになるので、既設の軒樋１Ｃと新規の軒樋２Ｃとを軒樋継手Ａにがたつくことなく接続することができる。
【実施例２】
【００２１】
図１０〜図１６は、本発明軒樋継手の実施の形態における実施例２（請求項２の軒樋継手に対応する実施例）を説明する図である。
図において、図１０は本発明の実施例２における軒樋継手を示す斜視図、図１１は同じく軒樋継手の側面図、図１２は図１１におけるＤ−Ｄ線断面図、図１３は実施例２における軒樋継手の使用状態を説明する分解斜視図、図１４は同じく軒樋を軒樋継手に接続した状態を示す一部破断正面図、図１５は図１４におけるＥ−Ｅ線断面図、図１６は図１４におけるＦ−Ｆ線断面図である。
【００２２】
実施例２における軒樋継手Ｂは、図１０〜図１６に示すように、双方の軒樋の耳部の形状、寸法が異なっていても同一規格の半円形状の軒樋（通称；半丸軒１０５）であれば両側方から接続可能となっており、軒樋の外周面に沿うように半円形の樋状に屈曲して形成された外継手方式の継手本体１０Ｂと、この継手本体１０Ｂの両側壁部の上端部に耳把持部３が開口部を内方に向けて一体に形成されている。
【００２３】
上記継手本体１０Ｂは，底壁部２１とこの底壁部２１の両側から上方に湾曲した側壁部２２とからなり、その，継手本体１０Ｂの両端側から長手方向中央部に向けて山高となるように内周面に階段状の係合段差部５が設けられている。
また、耳把持部３は，側壁部２２から外側に突設した下係止片部３１と、下係止片部３１の途中から湾曲して立ち上げた側係止片部３２と、この側係止片部３２の上部から湾曲して内方に延設した上係止片部３３とから断面Ｃ字状の形状に構成されており、接続しようとする軒樋の規格に近似した形状寸法とされているが、余裕をもって大きめの形状寸法とされている。
【００２４】
また、上記継手本体１０Ｂは，底壁部２１とこの底壁部２１の両側から上方に湾曲した側壁部２２とからなり、その，継手本体１０Ｂの両端側から長手方向中央部に向けて山高となるように内周面に階段状の係合段差部５が設けられている。
【００２５】
本実施例において、両側方から接続される一方の軒樋（既設の軒樋）としては、図４に示すような半円形状の軒樋本体１１ｃの両側上縁端部に半円形の耳部１２ｃが外向きに突出して形成された半丸型の軒樋１Ｃを用いており、また、他方の軒樋（新規の軒樋）としては、図５に示すような半円形状の軒樋本体２１ｃの両側上縁端部に円形の耳部２２ｃが外向きに突出して形成された半丸型の軒樋２Ｃを用いた。
【００２６】
このような軒樋継手Ｂを用いて軒樋１Ｃ、２Ｃを接続する手順について、図１３〜図１６に基づいて説明する。
先ず、改修時に取り替えようとする既設の軒樋や軒樋継手を軒先から取り外して、残された既設の一方の半丸型の軒樋１Ｃの端部に、新規の軒樋継手Ｂを配設して軒樋継手Ｂの内側に軒樋１Ｃの端部を挿入し嵌合する。
【００２７】
このとき、軒樋１Ｃの端部の外周面に沿って軒樋継手Ｂの継手本体１０Ｂが外側から密着すると共に、軒樋１Ｃの両耳部１２ｃが軒樋継手Ｂの耳把持部３に挿入され、軒樋本体１１ｃの端部が階段状の係合段差部５の最下段に当接して嵌合することになる。
【００２８】
続いて、既設の軒樋１Ｃに取り付けられた軒樋継手Ａの他方側に新規の半丸型の軒樋２Ｃを配設して、軒樋２Ｃの耳部２２ｃを耳把持部３に挿入し、軒樋本体２１ｃを上方に浮かした状態で軒樋２Ｃの端部の外周面を係合段差部５の段面に密着させながら押し込むと、軒樋本体２１ｃの下側面が係合段差部５により押し上げられ、軒樋２Ｃの耳部２２ｃを耳把持部３の上係止片部３３の内面に押圧した状態で嵌合することになる。
【００２９】
このように、既設軒樋１Ｃの耳部２１ｃと比べて新規軒樋２Ｃの耳部２２ｃが小さめであっても、図１４〜図１６に示すように、既設の軒樋１Ｃと新規の軒樋２Ｃとを軒樋継手Ｂにがたつくことなく接続することができる。
【００３０】
以上、本発明の実施の形態を図面により詳述してきたが、具体的な形態はこの実施の形態に限られものではなく、本発明の要旨を逸脱しない範囲における設計の変更等があっても本発明に含まれる。
例えば、上記実施例１において、係合段差部４を、耳把持部３の上係止片部３３の内面に両端側から長手方向中央部に向けて幅狭となるように階段状に設けたが、一方の端側から長手方向中央部に向けて幅狭となるように階段状に設け、他方の端側は新規の軒樋のみが接続可能となる耳把持部３としてもよい。
また、上記実施例２において、継手本体１０Ｂの両端側から長手方向中央部に向けて山高となるように内周面に階段状の係合段差部５を設けたが、継手本体１０Ｂの一方の端側から長手方向中央部に向けて山高となるように係合段差部５を階段状に設け、他方の端側は新規の軒樋２Ｃのみが接続可能となる継手本体１０Ｂとしてもよい。
【図面の簡単な説明】
【００３１】
【図１】本発明の実施例１における軒樋継手を示す斜視図である。
【図２】同上軒樋継手の側面図である。
【図３】図２におけるＡ−Ａ線断面図である。
【図４】本発明の実施例１において使用される一方の軒樋を示す側面図である。
【図５】本発明の実施例１において使用される他方の軒樋を示す側面図である。
【図６】本発明の実施例１における軒樋継手の使用状態を説明する分解斜視図である。
【図７】同上軒樋継手を用いて軒樋を接続した状態を示す一部破断正面図である。
【図８】図７におけるＢ−Ｂ線断面図である。
【図９】図７におけるＣ−Ｃ線断面図である。
【図１０】本発明の実施例２における軒樋継手を示す斜視図である。
【図１１】同上軒樋継手の側面図である。
【図１２】図１１におけるＤ−Ｄ線断面図である。
【図１３】本発明の実施例２における軒樋継手の使用状態を説明する分解斜視図である。
【図１４】同上軒樋継手を用いて軒樋を接続した状態を示す一部破断正面図である。
【図１５】図１４におけるＥ−Ｅ線断面図である。
【図１６】図１４におけるＦ−Ｆ線断面図である。
【図１７】本発明軒樋継手において使用される軒樋の寸法関係を示した説明図である。
【符号の説明】
【００３２】
Ａ、Ｂ          軒樋継手
１０Ａ、１０Ｂ      継手本体
２              側壁部
３              耳把持部
３３            上係止片部
４、５          係合段差部
１Ｃ            一方の軒樋（既設の軒樋）  
２Ｃ            他方の軒樋（新設の軒樋）
１２ｃ、２２ｃ      耳部
【図１】
2005105518.tif 000003
【図２】
2005105518.tif 000004
【図３】
2005105518.tif 000005
【図４】
2005105518.tif 000006
【図５】
2005105518.tif 000007
【図６】
2005105518.tif 000008
【図７】
2005105518.tif 000009
【図８】
2005105518.tif 000010
【図９】
2005105518.tif 000011
【図１０】
2005105518.tif 000012
【図１１】
2005105518.tif 000013
【図１２】
2005105518.tif 000014
【図１３】
2005105518.tif 000015
【図１４】
2005105518.tif 000016
【図１５】
2005105518.tif 000017
【図１６】
2005105518.tif 000018
【図１７】
2005105518.tif 000019